(57)【要約】【課題】  概観品質が良く、ホーロー製洗面ボウルに排水栓を簡単に接続できるホーロー洗面ボウルの排水構造を提供する。【解決手段】  ホーロー洗面ボウルの排水構造を、底部に排水口が開設されたホーロー製洗面ボウルの排水口周縁部を２回絞りで成形して排水口下端部に外側に延設する鍔部を形成し、外周にねじが刻設された平面形状が略Ｃ字状のねじリングを上記鍔部上方に嵌装すると共に、該鍔部に断面略コ字状の弾性体を装着し、上記ねじリングのねじを排水栓の上端部内周面に刻設されたねじと螺合させることで洗面ボウルと排水栓を接続して構成した。【選択図】  図１
2012149388.tif 000002
【特許請求の範囲】
【請求項１】
底部に排水口が開設されたホーロー製洗面ボウルの排水口周縁部を２回絞りで成形して排水口下端部に外側に延設する鍔部を形成し、外周にねじが刻設された平面形状が略Ｃ字状のねじリングを上記鍔部上方に嵌装すると共に、該鍔部に断面略コ字状の弾性体を装着し、上記ねじリングのねじを排水栓の上端部内周面に刻設されたねじと螺合させることで洗面ボウルと排水栓を接続することを特徴とするホーロー洗面ボウルの排水構造。
【請求項２】
底部に排水口が開設されたホーロー製洗面ボウルの排水口周縁部を２回絞りで成形して排水口下端部に外側に延設する鍔部を形成し、内周面にねじが刻設されたナット部材を上記鍔部上方に嵌装すると共に、該ナット部材と鍔部との間にナット抜け防止用のＣリングを装着し、上記ナット部材のねじを排水栓の上端部外周面に刻設されたねじと螺合させることで洗面ボウルと排水栓を接続することを特徴とするホーロー洗面ボウルの排水構造。
【請求項３】
底部に排水口が開設されたホーロー製洗面ボウルのカウンター下部に、断面略逆凸状で凸部に内ねじ孔が複数開設されてなる固定リングをスポット溶接して固着し、このねじ孔に排水栓の上部フランジ部に螺装されたねじを螺着することで、洗面ボウルと排水栓を接続することを特徴とするホーロー洗面ボウルの排水構造。
【発明の詳細な説明】
【技術分野】
【０００１】
この発明は、ホーロー製洗面ボウルの排水構造に関する。
【背景技術】
【０００２】
従来の洗面ボウルの排水構造としては、例えば、特許文献１に示すように、洗面ボウルの底部に形成された排水口部の周縁部上に、排水筒の上端部外周面に形成されたフランジ部が配置されており、また、上記排水筒の下部にナットを取り付け、このナットと上記フランジ部で洗面ボウルの底部を挟み込むことで、排水筒を排水口部に接続していた。
【０００３】
いかしながら、このような従来の排水構造では、排水筒の鍔部と洗面ボウルの境界部分が洗面ボウルの内面側に露出し、また、この境界部分に溜まったごみが目立ちやすく、概観品質も損なわれる、という問題を有し、また、従来のホーロ製洗面ボウルにあっては、前記フランジ部が形成されていないため、上記のような接続ができない、という問題を有していた。
【先行技術文献】
【特許文献】
【０００４】
【特許文献１】特開昭５５−０３２８７４号公報
【発明の概要】
【発明が解決しようとする課題】
【０００５】
この発明は、かかる現状に鑑み創案されたものであって、その目的とするところは、概観品質が良く、ホーロー製洗面ボウルに排水栓を簡単に接続できるホーロー洗面ボウルの排水構造を提供しようとするものである。
【課題を解決するための手段】
【０００６】
上記目的を達成するため、請求項１に記載のホーロー洗面ボウルの排水構造にあっては、底部に排水口が開設されたホーロー製洗面ボウルの排水口周縁部を２回絞りで成形して排水口下端部に外側に延設する鍔部を形成し、外周にねじが刻設された平面形状が略Ｃ字状のねじリングを上記鍔部上方に嵌装すると共に、該鍔部に断面略コ字状の弾性体を装着し、上記ねじリングのねじを排水栓の上端部内周面に刻設されたねじと螺合させることで洗面ボウルと排水栓を接続することを特徴とする。
【０００７】
また、請求項２に記載のホーロー洗面ボウルの排水構造にあっては、底部に排水口が開設されたホーロー製洗面ボウルの排水口周縁部を２回絞りで成形して排水口下端部に外側に延設する鍔部を形成し、内周面にねじが刻設されたナット部材を上記鍔部上方に嵌装すると共に、該ナット部材と鍔部との間にナット抜け防止用のＣリングを装着し、上記ナット部材のねじを排水栓の上端部外周面に刻設されたねじと螺合させることで洗面ボウルと排水栓を接続することを特徴とする。
【０００８】
さらに、請求項３に記載のホーロー洗面ボウルの排水構造にあっては、底部に排水口が開設されたホーロー製洗面ボウルのカウンター下部に、断面略逆凸状で凸部に内ねじ孔が複数開設されてなる固定リングをスポット溶接して固着し、このねじ孔に排水栓の上部フランジ部に螺装されたねじを螺着することで、洗面ボウルと排水栓を接続することを特徴とする。
【発明の効果】
【０００９】
それ故、この発明に係るホーロー洗面ボウルの排水構造にあっては、概観品質が良く、ホーロー製洗面ボウルに排水栓を簡単に接続できる、という効果を奏する。
【図面の簡単な説明】
【００１０】
【図１】この発明の第１形態例に係るホーロー洗面ボウルの排水構造を示す断面図及び部品説明斜視図である。
【図２】同第１形態例に係るホーロー洗面ボウルの排水口部分の２回絞りを施すことで形成される製造工程を示す説明図である。
【図３】同第１形態例に係るホーロー洗面ボウルの排水構造の変形例を示す断面図である。
【図４】この発明の第２形態例に係るホーロー洗面ボウルの排水構造を示す断面図である。
【図５】同第２形態例に係るホーロー洗面ボウルの排水構造に用いられる固定リングの斜視図である。
【図６】同第２形態例に係るホーロー洗面ボウルの排水構造の変形例を示す断面図である。
【発明を実施するための形態】
【００１１】
以下、添付図面に示す各形態例に基づきこの発明を詳細に説明する。
【００１２】
図１は、この発明の第１に係るホーロー製の洗面ボウル１の排水構造を示す断面図及び部品説明斜視図であり、この洗面ボウル１の底部には、排水口２が開設されており、該ホーロー製洗面ボウル１の排水口２周縁部は、図２に示すように２回絞りで成形されて、排水口２の下端部３には外側に延設する鍔部４が形成されている。
【００１３】
また、上記鍔部４の上方には、外周にねじ１１が刻設された平面形状が略Ｃ字状のねじリング１０が嵌装されていると共に、該鍔部４には、弾性体である断面略コ字状のゴムパッキング１２が装着されており、上記ねじリング１０のねじ１１を排水栓２０の上端部２１の内周面に刻設されたねじ２２と螺合させることでホーロー製洗面ボウル１と排水栓２０を接続するように構成されている。このゴムパッキング１２を鍔部４に装着することで、該鍔部４の錆を有効に防止することができると共に、ねじリング１０の廻りをとめることができる。
【００１４】
図３は、上記第１形態例に係るホーロー洗面ボウルの排水構造の変形例を示しており、上記該鍔部４の上方に、内周面にねじ３１が刻設されたナット部材３０を嵌装し、該ナット部材３０と鍔部４との間にナット抜け防止用のＣリング３２を装着し、上記ナット部材３０のねじ３１を排水栓２０の上端部の外周面に刻設されたねじ２５と螺合させることでホーロー製の洗面ボウル１と排水栓２０を接続するように構成し、洗面ボウル１と排水栓２０を接続をより簡略化したほかは、他の構成及び作用は第１形態例と同様であるので、図面には第１形態例と同一の符号を付してその詳細な説明をここでは省略する。尚、図中符号３３は、ナット部材３０の天井部３４に開設された挿通穴であり、該挿通穴３３の内径は、上記鍔部４の外径よりも若干大径に形成されている。また、符号３５は、前記鍔部４と排水栓２０の上端部との間に装着されるゴムパッキングである。
【００１５】
図４は、この発明の第２形態例に係るホーロー洗面ボウルの排水構造を示しており、底部に排水口２が開設されたホーロー製洗面ボウル１のカウンター５の下部に、図４及び図５に示すように、断面略逆凸状で凸部４１に内ねじ孔４２，４２‥が複数開設されてなる固定リング４０がスポット溶接して固着されており、この内ねじ孔４２，４２‥に排水栓２０の上部フランジ部２５に螺装されたねじ４３を螺着することで、洗面ボウル１と排水栓２０が接続されている。尚、符号４４は、排水口２周縁と上部フランジ部２５間に装着された弾性体であるゴムパッキングである。
【００１６】
図６は、上記第２形態例に係るホーロー洗面ボウルの排水構造の変形例を示しており、この変形例では、弾性体であるゴムパッキング４４Ａをホーロー製洗面ボウル１のカウンター５の下部と排水栓２０の上部フランジ部２５との間に装着した他は、他の構成及び作用は第１形態例と同様であるので、図面には第２形態例と同一の符号を付してその詳細な説明をここでは省略する。
【図１】
2012149388.tif 000003
【図２】
2012149388.tif 000004
【図３】
2012149388.tif 000005
【図４】
2012149388.tif 000006
【図５】
2012149388.tif 000007
【図６】
2012149388.tif 000008